(57)【特許請求の範囲】
【請求項１】
互いに離間した場所に配置されたテレプレゼンスロボットであって、
各場所の映像を取得する撮影部と、
各場所の音声を取得する音声入力部と、
映像及び音声を送受信可能な通信部と、
前記通信部が受信した映像を表示する表示部と、
前記通信部が受信した音声を出力する音声出力部と、
利用者が触れた位置および強さを検出する触覚検出部材と、
前記触覚検出部材で検出された位置を送受信する前記通信部と、
一方のテレプレゼンスロボットの利用者が触れたことを前記一方のテレプレゼンスロボットの触覚検出部材で検出した場合に、前記一方のテレプレゼンスロボットの通信部から送信されて他方のテレプレゼンスロボットの前記通信部が受信した前記一方のテレプレゼンスロボットの前記触覚検出部材で検出された位置および強さに基づいて、前記他方のテレプレゼンスロボットの利用者に、触れられた位置および強さを超音波で伝達することで、前記一方のテレプレゼンスロボットの利用者の触覚を、前記他方のテレプレゼンスロボットの利用者に伝達する空中超音波振動子アレイと、
を備えたことを特徴とするテレプレゼンスロボット。
【請求項２】
筐体に対して移動可能に支持された腕部と、
前記腕部に設けられた前記触覚検出部材と、
を備え、
前記筐体と前記腕部との関節部に、前記腕部を駆動する駆動系が設けられていない
ことを特徴とする請求項１に記載のテレプレゼンスロボット。
【発明の詳細な説明】
【技術分野】
【０００１】
本発明は、テレプレゼンスロボットに関する。
【背景技術】
【０００２】
近年、自宅で働く人が、会社に居る社員との間で会議を行う場合や、離れた事業所どうしの間で会議を行う場合等に、ＴＶ会議システムが使用されつつある。ＴＶ会議システムにおいて、遠隔地に居るにも関わらず、現場にいるような感覚を相互に伝えるような臨場感を与えるロボットとして、テレプレゼンスロボットが知られている。
テレプレゼンスロボットに関して、以下の技術が従来公知である。
【０００３】
非特許文献１には、車輪を有する台車に、相手の顔が映し出されるモニターや、自身を写すためのカメラ、マイクロフォン（小型のスピーカおよびマイク）、ロボットアームやレーザーポインタ等が設置されたテレプレゼンスロボットが記載されている。非特許文献１に記載された技術では、テレプレゼンスロボットに映しだされた相手と会話をしたり、ロボットアームで単純なジェスチャーを行ったり、レーザーポインタで物を指し示したりすることが可能になっている。すなわち、視覚と聴覚を通じたコミュニケーションが可能である。
【０００４】
非特許文献２には、頭部にカメラが設置され、肩部に４自由度で動作する腕が取り付けられ、ステレオカメラや全方位視覚センサ、ステレオマイクロフォン、接触センサ等が設けられて、車輪で移動可能なロボットが記載されている。非特許文献２のロボットは、ＴＶ会議等の遠隔地の利用者が利用するのではなく、ロボットの近くに居る利用者の位置や利用者の音声をロボットが認識して、握手や抱擁、じゃんけん、おじぎ、簡単な会話等の動作を行うものである。
【先行技術文献】
【非特許文献】
【０００５】
【非特許文献１】Annica Kristoffersson, et.al, “A Revier of Mobile Robotic Telepresence,” Adbances in Human-Computer Interaction, Vol. 2013, Article ID 902316, 17 pages, 2013. doi:10. 1155/2013/902316.
【非特許文献２】神田崇行、他４名,  “人間と相互作用する自律型ロボットRobovieの評価,”  日本ロボット学会誌， Vol.20, No.3, pp.1-9, 2002.
【発明の概要】
【発明が解決しようとする課題】
【０００６】
(従来技術の問題点)
非特許文献１に記載の従来技術では、手による仕草は伝達されていない。お互いのモニターには顔が映し出されているが、相手が、その化身であるロボットに何をしているかを伝えられていない。例えば、お年寄りが孫をあやすような仕草は、相手に伝達されない。
非特許文献１に記載の技術と非特許文献２に記載の技術とを組み合わせた場合、遠隔操作されたロボットから体を触られるというのは、遠隔操作により生じる時間的遅延が少なからずあるため、時間的遅延によりロボットが触れる前に相手が動いたような場合、触れようとした場所以外の場所、例えば、肩に触れるはずが顔や目に触れたり、想定していた以上の力で相手に触れたりして、人間を負傷させる恐れがある。他にも、制御時の通信速度が低下した場合には、動作が途中で止まってしまって、例えば、握手したり抱擁したままで離さなくなったりする恐れもある。よって、利用者に接触する部分にアクチュエータを導入した場合、安全面の問題がある。時間的遅延や通信速度の低下を抑制するには、例えば、太い通信ケーブルを使用することも考えられるが、高価になるとともに、テレプレゼンスロボットを設置可能な場所が制限されたり、ケーブルがテレプレゼンスロボットの移動の妨げになったりする等の問題もある。
【０００７】
本発明は、テレプレゼンスロボットを使用する際に、安全を確保しつつ、臨場感を向上させることを技術的課題とする。
【課題を解決するための手段】
【０００８】
前記技術的課題を解決するために、請求項１に記載の発明のテレプレゼンスロボットは、
互いに離間した場所に配置されたテレプレゼンスロボットであって、
各場所の映像を取得する撮影部と、
各場所の音声を取得する音声入力部と、
映像及び音声を送受信可能な通信部と、
前記通信部が受信した映像を表示する表示部と、
前記通信部が受信した音声を出力する音声出力部と、
利用者が触れた位置および強さを検出する触覚検出部材と、
前記触覚検出部材で検出された位置を送受信する前記通信部と、
一方のテレプレゼンスロボットの利用者が触れたことを前記一方のテレプレゼンスロボットの触覚検出部材で検出した場合に、前記一方のテレプレゼンスロボットの通信部から送信されて他方のテレプレゼンスロボットの前記通信部が受信した前記一方のテレプレゼンスロボットの前記触覚検出部材で検出された位置および強さに基づいて、前記他方のテレプレゼンスロボットの利用者に、触れられた位置および強さを超音波で伝達することで、前記一方のテレプレゼンスロボットの利用者の触覚を、前記他方のテレプレゼンスロボットの利用者に伝達する空中超音波振動子アレイと、
を備えたことを特徴とする。
【０００９】
請求項２に記載の発明は、請求項１に記載のテレプレゼンスロボットにおいて、
筐体に対して移動可能に支持された腕部と、
前記腕部に設けられた前記触覚検出部材と、
を備え、
前記筐体と前記腕部との関節部に、前記腕部を駆動する駆動系が設けられていない
ことを特徴とする。
【発明の効果】
【００１１】
請求項１に記載の発明によれば、利用者に非接触で、触覚検出部材で検出された位置が伝達されない場合に比べて、テレプレゼンスロボットを使用する際に、安全を確保することができる。さらに、請求項１に記載の発明によれば、視覚と聴覚で伝達をする従来のテレプレゼンスロボットに比べて、臨場感を向上させることができる。また、請求項１に記載の発明によれば、空中超音波振動子アレイの発生する超音波で、利用者に非接触で、触覚を伝達することができる。
請求項２に記載の発明によれば、利用者に接触して触覚を伝達する従来の構成において、関節部分にアクチュエータが設けられた構成に比べて、低コストにすることができる。
【図面の簡単な説明】
【００１２】
【図１】図１は本発明の実施例１のテレプレゼンスロボットを利用した遠隔コミュニケーションシステムの説明図である。
【図２】図２は実施例１のテレプレゼンスロボットの説明図であり、図２Ａは正面図、図２Ｂは側面図である。
【図３】図３は実施例１の遠隔コミュニケーションシステムにおけるテレプレゼンスロボットの機能ブロック図である。
【図４】図４は実施例１のテレプレゼンスロボットにおける処理のフローチャートの説明図である。
【発明を実施するための形態】
【００１３】
次に図面を参照しながら、本発明の実施の形態の具体例（以下、実施例と記載する）を説明するが、本発明は以下の実施例に限定されるものではない。
なお、以下の図面を使用した説明において、理解の容易のために説明に必要な部材以外の図示は適宜省略されている。
【実施例１】
【００１４】
図１は本発明の実施例１のテレプレゼンスロボットを利用した遠隔コミュニケーションシステムの説明図である。
図１において、実施例１の遠隔コミュニケーションシステムＳは、利用者が利用可能な端末の一例としてのテレプレゼンスロボット１を有する。テレプレゼンスロボット１は、互いに離れた設置場所の一例として、利用者である祖父母の居住する住宅２と、利用者である孫の居住する住宅３にそれぞれ設置されている。
【００１５】
図２は実施例１のテレプレゼンスロボットの説明図であり、図２Ａは正面図、図２Ｂは側面図である。
図１、図２において、各テレプレゼンスロボット１は、台座部１１を有する。台座部１１は、キャスター１１ａを有する。よって、テレプレゼンスロボット１は、自由に移動可能に構成されている。
台座部１１には、上方に延びる柱部１２が支持されている。柱部１２の上端には、本体部１３が支持されている。本体部１３の内部には、テレプレゼンスロボット１を制御する制御部の一例としての図示しないコンピュータ装置が内蔵されている。
【００１６】
本体部１３の前面には、表示部の一例としてのディスプレイ１４が支持されている。ディスプレイ１４の縁部には、撮影部の一例として、テレプレゼンスロボット１の前方に居る人物を撮像する撮像カメラ１６が支持されている。また、ディスプレイ１４の縁部には、図示しない音声出力部の一例としてのスピーカと、音声入力部の一例としてのマイクとが支持されている。
ディスプレイ１４の上部には、人物の位置を検出するためのカメラセンサ１７が配置されている。なお、カメラセンサ１７は、例えば、市販のＫｉｎｅｃｔ（登録商標）センサを使用可能であり、従来公知であるため、詳細な説明は省略する。
【００１７】
また、ディスプレイ１４の上方および左右両側には、非接触で感覚を伝達する非接触伝達部材の一例としての感覚伝達デバイス１８が支持されている。実施例１では、非接触で感触を伝える感覚伝達デバイス１８の一例として空中超音波振動子アレイが使用されている。なお、空中超音波振動子アレイは、多数の超音波振動子が格子状に配列されたものであり、空中の任意の位置に超音波の焦点を作り出すことで、焦点の位置に音圧や音響放射圧を発生させる。この音圧等により、焦点の位置の人体表面に押される力が発生して、人に触覚刺激を与えるものである。空中超音波振動子アレイは、例えば、非特許文献３（星貴之、他２名, ”空中超音波振動子アレイによる触覚提示，”  ロボティクス・メカトロニクス講演会講演概要集  2009, pp1A1-A14(1)-1A1-A14(4)， 2009-05-25.）や、非特許文献４（星貴之, ”非接触触覚ディスプレイによる手掌部への情報提示，”  日本バーチャルリアリティ学会大会論文集(CD-ROM), Vol.16th pp.ROMBUNNO.34C-7）に記載されており、従来公知であるため、詳細な説明は省略する。
【００１８】
また、本体部１３の上面及び左右両側面には、触覚検出部材の一例としての触覚センサ１９が支持されている。実施例１の触覚センサ１９は、利用者が触れた位置と触れた力の強さを検出する。触覚センサは、例えば、ショッカクキューブ（商標）やショッカクポット（商標）等のように市販の触覚センサを使用可能であり、従来公知であるため、詳細な説明は省略する。
さらに、本体部１３の左右両端部には、前方に延びるアーム２１が支持されている。なお、実施例１のアーム２１は、利用者が操作をして、関節部分で回転させることが可能に構成されているが、関節部分にアクチュエータ等が設置されておらず、制御信号に応じて動作はしない。
【００１９】
また、アーム２１には、検知部材の一例としての振動センサ２２が支持されている。実施例１の振動センサ２２は、例えば、加速度を検出する加速度センサを使用可能であり、人がアーム２１に触れた場合や、アーム２１を握って上下動させる際の加速度を検出することで、アーム２１の動き、振動を検出可能である。なお、実施例１の振動センサ２２は、低消費電力で近距離無線通信が可能なＺｉｇＢｅｅ（登録商標）を利用して、制御部と無線通信により検出信号をやりとりしている。したがって、実施例１の構成では、振動センサ２２に小型のバッテリー（ボタン電池等）を内蔵することで、配線を省略している。
なお、実施例１の構成に限定されず、他の無線通信方式で通信をしたり、有線で制御部に接続することも可能である。
【００２０】
さらに、アーム２１には、非接触伝達部材の一例としてのＬＥＤ２３が支持されている。
また、実施例１のテレプレゼンスロボット１は、無線通信の一例としての無線ＬＡＮを介して、公衆回線の一例としてのインターネット３１に接続されており、遠隔地のテレプレゼンスロボット１との間で、通信可能に構成されている。なお、通信方式は、無線通信に限定されず、有線接続の形式とすることも可能である。また、無線ＬＡＮに限定されず、携帯電話回線やBluetooth（登録商標）等、任意の通信技術を採用可能である。
【００２１】
（実施例１のテレプレゼンスロボット１の制御部の説明）
図３は実施例１の遠隔コミュニケーションシステムにおけるテレプレゼンスロボットの機能ブロック図である。
図３において、実施例１のテレプレゼンスロボット１の制御部は、外部との信号の入出力および入出力信号レベルの調節等を行うＩ／Ｏ（入出力インターフェース）、必要な起動処理を行うためのプログラムおよびデータ等が記憶されたＲＯＭ（リードオンリーメモリ）、必要なデータ及びプログラムを一時的に記憶するためのＲＡＭ（ランダムアクセスメモリ）、ＲＯＭ等に記憶された起動プログラムに応じた処理を行うＣＰＵ（中央演算処理装置）ならびにクロック発振器等を有するコンピュータ装置により構成されており、前記ＲＯＭ及びＲＡＭ等に記憶されたプログラムを実行することにより種々の機能を実現することができる。
前記テレプレゼンスロボット１の制御部４１には、基本動作を制御する基本ソフト、いわゆる、オペレーティングシステムＯＳ、アプリケーションプログラムの一例としてのコミュニケーションプログラムＡＰ１、その他の図示しないソフトウェアが記憶されている。
【００２２】
（実施例１の制御部４１に接続された要素）
テレプレゼンスロボット１の制御部４１には、撮像カメラ１６やカメラセンサ１７、触覚センサ１９、振動センサ２２、マイク等の信号出力要素からの出力信号が入力されている。
また、実施例１の制御部４１は、ディスプレイ１４や感覚伝達デバイス１８、ＬＥＤ２３、スピーカ等の被制御要素へ制御信号を出力している。
【００２３】
（テレプレゼンスロボット１の機能）
実施例１のテレプレゼンスロボット１の制御部４１のコミュニケーションプログラムＡＰ１は、下記の機能手段（プログラムモジュール）５１〜５８を有する。
撮影手段５１は、撮像カメラ１６を介して、映像を撮影する。
音声取得手段５２は、マイクを介して、音声を取得する。
触覚検知手段５３は、接触位置特定手段５３ａと、接触強度特定手段５３ｂと、を有し、利用者がテレプレゼンスロボット１に触れた位置と、触れた強さを検出する。
接触位置特定手段５３ａは、触覚センサ１９の出力や、振動センサ２２の出力結果に基づいて、利用者がテレプレゼンスロボット１に触れた位置を特定する。
【００２４】
接触強度特定手段５３ｂは、触覚センサ１９の出力や、振動センサ２２の出力結果に基づいて、利用者がテレプレゼンスロボット１に触れた強さを特定する。実施例１の触覚センサ１９は、利用者が触れた強さに対応する結果が出力されるため、接触強度特定手段５３ｂは、触覚センサ１９の出力結果に基づいて、触覚センサ１９に触れた強さを特定可能である。また、振動センサ２２は、利用者が触れた強さが強い場合（勢い良くアーム２１に触れたり、アーム２１を操作した場合）、計測される加速度の値が大きくなるため、接触強度特定手段５３ｂは、加速度の出力結果に基づいて、アーム２１に触れた強さを特定可能である。
【００２５】
通信部の一例としての通信手段５４は、送信手段５４ａと、受信手段５４ｂと、を有し、離間した場所の他のテレプレゼンスロボット１との間で通信を行う。
送信手段５４ａは、撮影手段５１で撮影された映像情報や、音声取得手段５２で取得された音声情報、触覚検知手段５３で検知された接触位置や接触強度の情報を、他のテレプレゼンスロボット１に対して送信する。
受信手段５４ｂは、他のテレプレゼンスロボット１から送信された映像情報や音声情報、接触位置や接触強度の情報を受信する。
【００２６】
画像表示手段５５は、受信手段５４ｂが受信した映像情報を、ディスプレイ１４に表示する。したがって、他のテレプレゼンスロボット１の撮像カメラ１６で撮影された映像が、ディスプレイ１４に表示される。
音声出力手段５６は、受信手段５４ｂが受信した音声情報を、スピーカから出力する。したがって、他のテレプレゼンスロボット１のマイクに入力された音声が、スピーカから出力される。
【００２７】
位置検出手段５７は、カメラセンサ１７の検出結果に基づいて、テレプレゼンスロボット１の前にいる利用者の位置を検出する。一例として、実施例１の位置検出手段５７は、テレプレゼンスロボット１の前にいる利用者の顔の位置を検出する。
触覚伝達制御手段５８は、伝達位置特定手段５８ａと、伝達強度特定手段５８ｂと、を有し、非接触伝達部材としての感覚伝達デバイス１８およびＬＥＤ２３を制御して、他のテレプレゼンスロボット１の利用者が触れることで行った動作を、接触位置等の情報を受信したテレプレゼンスロボット１の利用者に伝達する。実施例１の触覚伝達制御手段５８は、相手先（他のテレプレゼンスロボット１）の利用者が触覚センサ１９を触れた場合は、接触位置等の情報を受信したテレプレゼンスロボット１では、感覚伝達デバイス１８で利用者に接触情報を非接触で伝達する。また、実施例１の触覚伝達制御手段５８は、相手先（他のテレプレゼンスロボット１）の利用者がアーム２１に触れたことを振動センサ２２で検出した場合は、接触位置等の情報を受信したテレプレゼンスロボット１では、ＬＥＤ２３を発光させることで利用者に接触情報を非接触で伝達する。
【００２８】
伝達位置特定手段５８ａは、受信した接触位置の情報と、位置検出手段５７で検出された利用者の位置とに基づいて、触覚を伝達する位置を特定する。実施例１の伝達位置特定手段５８ａは、例えば、他のテレプレゼンスロボット１において、利用者が接触した位置が、ロボット１の頭部に対応する位置である場合、位置検出手段５７で検出された利用者の頭部に対応する位置に、空中超音波振動子アレイ１８の焦点の位置を設定する。
伝達強度特定手段５８ｂは、受信した接触強度の情報に基づいて、触覚を伝達する強さを特定する。実施例１の伝達強度特定手段５８ｂは、例えば、他のテレプレゼンスロボット１において、利用者が接触した強さに対応して、空中超音波振動子アレイ１８から出力される超音波の強度を設定する。
【００２９】
（実施例１の流れ図の説明）
次に、実施例１の遠隔コミュニケーションシステムにおける制御の流れを流れ図、いわゆるフローチャートを使用して説明する。
【００３０】
（テレプレゼンスロボットにおける処理のフローチャートの説明）
図４は実施例１のテレプレゼンスロボットにおける処理のフローチャートの説明図である。
図４のフローチャートの各ステップＳＴの処理は、テレプレゼンスロボット１に記憶されたプログラムに従って行われる。また、この処理はテレプレゼンスロボット１の他の各種処理と並行して実行される。
図４に示すフローチャートは、テレプレゼンスロボット１の電源が投入された場合に開始される。
【００３１】
図４のＳＴ１において、他のテレプレゼンスロボット１との通信が確立したか否かを判別する。イエス（Ｙ）の場合はＳＴ２に進み、ノー（Ｎ）の場合はＳＴ１を繰り返す。
ＳＴ２において、次の処理（１），（２）を実行して、ＳＴ３に進む。
（１）撮像カメラ１６による撮影を開始する。
（２）マイクによる音声の取得を開始する。
ＳＴ３において、撮影した映像および取得した音声を相手先（他のテレプレゼンスロボット１）に送信する。そして、ＳＴ４に進む。
ＳＴ４において、相手先（他のテレプレゼンスロボット１）から映像及び音声を受信したか否かを判別する。イエス（Ｙ）の場合はＳＴ５に進み、ノー（Ｎ）の場合はＳＴ６に進む。
ＳＴ５において、受信した映像をディスプレイ１４に表示し、受信した音声をスピーカから出力する。そして、ＳＴ４に戻る。
【００３２】
ＳＴ６において、触覚センサ１９や振動センサ２２が、利用者の接触を検出したか否かを判別する。イエス（Ｙ）の場合はＳＴ７に進み、ノー（Ｎ）の場合はＳＴ９に進む。
ＳＴ７において、次の処理（１），（２）を実行して、ＳＴ８に進む。
（１）触覚センサ１９や振動センサ２２の検出結果に基づいて、接触位置を検出する。
（２）各センサ１９，２２の検出結果に基づいて、接触の強さ（強度）を検出する。
ＳＴ８において、接触位置及び接触強度の情報を含む接触データを相手先（他のテレプレゼンスロボット１）に送信する。そして、ＳＴ４に戻る。
【００３３】
ＳＴ９において、相手先（他のテレプレゼンスロボット１）から送信された接触データを受信したか否かを判別する。イエス（Ｙ）の場合はＳＴ１０に進み、ノー（Ｎ）の場合はＳＴ１３に進む。
ＳＴ１０において、次の処理（１），（２）を実行して、ＳＴ１１に進む。
（１）受信した接触データに基づいて、接触位置を特定する。
（２）受信した接触データに基づいて、接触強さを特定する。
ＳＴ１１において、位置検出手段５７により、利用者の位置を検出する。そして、ＳＴ１２に進む。
ＳＴ１２において、利用者の位置と接触位置とに基いて、触覚を伝達する。よって、触覚センサ１９で接触位置が検出された場合には、利用者の位置と接触位置に対応する位置に焦点を設定し、接触強さに応じた超音波を発生させる。また、振動センサ２２で接触が検出された場合には、対応する位置（右手または左手）のアーム２１のＬＥＤ２３が転倒される。そして、ＳＴ４に戻る。
【００３４】
ＳＴ１３において、テレプレゼンスロボット１によるコミュニケーションを終了する入力、すなわち、シャットダウンの入力がされたか否かを判別する。イエス（Ｙ）の場合はＳＴ１４に進み、ノー（Ｎ）の場合はＳＴ４に戻る。
ＳＴ１４において、次の処理（１），（２）を実行して、処理を終了する。
（１）撮影や音声の取得を終了する。
（２）相手先（他のテレプレゼンスロボット１）との通信を終了する。
【００３５】
（実施例１の作用）
前記構成を備えた実施例１の遠隔コミュニケーションシステムＳでは、離れた場所にいる祖父と孫とがコミュニケーションを取る場合、お互いのテレプレゼンスロボット１のディスプレイ１４に互いの顔が映し出され、お互いの声でコミュニケーションが可能である。すなわち、従来と同様に、視覚と聴覚によるコミュニケーションが可能となっている。
さらに、実施例１のテレプレゼンスロボット１では、例えば、祖父が祖父宅のテレプレゼンスロボット１の頭を撫でるように触れると、触覚センサ１９が触れた位置と強さを検出する。検出された接触データは、孫宅のテレプレゼンスロボット１に送信される。接触データを受信した孫宅のテレプレゼンスロボット１は、孫の位置を検出して、孫の頭の位置に対して、祖父が触れた力に対応する強度で、空中超音波振動子アレイ１８が超音波を出力する。したがって、孫は、頭を撫でられたように感じることができる。また、孫が、孫宅のテレプレゼンスロボット１のアーム２１を掴んで下に振る動作、すなわち、握手を行った場合、祖父宅のテレプレゼンスロボット１のＬＥＤ２３が点灯して、祖父は孫の握手の動作が認識される。すなわち、相手方のテレプレゼンスロボット１で検出された触覚動作を、ＬＥＤ２３により非接触で伝達される。したがって、実施例１では、ＬＥＤ２３は、臨場感のための非接触表現で利用されている。
【００３６】
よって、実施例１のテレプレゼンスロボット１では、利用者（祖父、孫）が手で触れた感覚、すなわち、触覚の情報が、非接触で相手に伝達される。よって、従来の視覚と聴覚のみしか伝達されなかったテレプレゼンスロボットに比べて、触覚も伝達可能となり、臨場感が向上する。
また、関節部分にアクチュエータを備えたロボットが動作をする構成では、時間的遅延により、ロボットの手等が、利用者の想定外の位置に触れて事故等を起こす恐れがあったが、実施例１のテレプレゼンスロボット１では、非接触で触覚が伝達されており、事故等が低減される。したがって、安全性が向上している。
さらに、関節部分にアクチュエータやモータ等を備える構成に比べて、構成が簡素化され、重量も軽量化可能である。よって、全体として、低コスト化されることが期待できる。特に、従来のロボットは、多機能化を進めた結果、構成が複雑化していたが、実施例１のテレプレゼンスロボット１では、アクチュエータ等を設けなくても、シンプルな構成で、触覚の伝達可能になっている。
【００３７】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ07）を下記に例示する。
（Ｈ01）前記実施例において、非接触伝達部材の一例として、空中超音波振動子アレイ１８を例示したが、これに限定されない。例えば、複数の小型のファンを格子状に並べ、超音波振動子の振動数に替えて各ファンの風量を制御することで、超音波ではなく風を利用して、利用者に非接触で触覚を伝達する構成とすることも可能である。
【００３８】
（Ｈ02）前記実施例において、触覚センサ１９として、ショッカクキューブ（商標）等を例示したが、これに限定されない。例えば、市販の曲げセンサ（どこに圧力がかかっているかわかるポテンショメータ）等、利用者が接触した位置や圧力が検出可能な任意の構成を採用可能である。
（Ｈ03）前記実施例において、振動センサ２２を使用してアーム２１に利用者が触れたことを検出する場合を例示したが、これに限定されない。例えば、上下方向のみの周期的な振動や、左右方向の振動、左右のいずれか一方向のみの急速な加速度、のような振動のパターンに基いて、「握手」や「バイバイ」、「素振り」等の動作を判別して、送信先のテレプレゼンスロボット１に表示をすることも可能である。表示方法としては、例えば、ＬＥＤ２３を格子状に並べて、上下に手を振る握手の場合は、上下に並んだＬＥＤ２３を順番に点灯させることで上下の動作を伝達させることが可能である。なお、振動のパターン等に応じて、動作を判別する技術としては、例えば、特開２０１４−８６０３８号公報等に記載された従来公知の技術を適用可能である。また、ＬＥＤ２３の色を変えることで、動作の速度を伝達することも可能である。例えば、動作の速度が速い場合には、赤色のＬＥＤを点灯させ、動作の速度がゆっくりの場合には青色や緑色のＬＥＤを点灯させることも可能である。
【００３９】
（Ｈ04）前記実施例において、空中超音波振動子アレイ１８において使用される振動子は、距離センサとしても使用可能であるため、例えば、空中超音波振動子アレイ１８を、人がディスプレイ１４の周辺に触れたことを検出する等に使用することも可能であり、空中超音波振動子アレイ１８を触覚検出部材として、兼用させることも可能である。また、空中に、相手先の利用者の顔のホログラム映像を投影し、顔のどこに触れたかを検出する構成とすることも可能である。
（Ｈ05）前記実施例において、カメラセンサとして、Kinect（登録商標）センサを例示したがこれに限定されない。例えば、Kinect（登録商標）センサ以外の深度センサを採用したり、２つ以上のカメラでステレオ視をして、画像解析を行って、利用者の位置を検出する構成を採用する等の変更が可能である。
【００４０】
（Ｈ06）前記実施例において、利用者の一例として、祖父と孫を例示したがこれに限定されない。例えば、事業所間の会議や、入院中の患者と自宅の家族とのコミュニケーション、独居の高齢者と介助者や家族とのコミュニケーション、老人ホームにおける個室の高齢者と介助者や家族とのコミュニケーション、旅行先の飼い主と自宅のペットとのコミュニケーション等、任意のコミュニケーションの場において適用可能である。
（Ｈ07）前記実施例において、アーム２１の動きをＬＥＤ２３で伝達する構成を例示したが、これに限定されない。例えば、振動子、いわゆるバイブレータを使用して、アーム２１を振動させることで、相手先の触覚を、伝達することも可能である。他にも、ＬＥＤ２３に替えて、アーム２１にも空中超音波振動子アレイを設けると共に、カメラセンサ１７で、利用者の手の位置も検出して、非接触で触覚を伝達する構成とすることも可能である。また、手だけでなく、肩や腕、胸等に非接触で触覚を伝達する構成とすることも可能である。
【符号の説明】
【００４１】
１…テレプレゼンスロボット、
２，３…場所、
１４…表示部、
１６…撮影部、
１８，２３…非接触伝達部材、
１９，２２…触覚検出部材、
２１…腕部、
５４…通信部。
【図１】
0006558764.tif 000002
【図２】
0006558764.tif 000003
【図３】
0006558764.tif 000004
【図４】
0006558764.tif 000005